(57)【要約】【課題】土壌との摩擦による爪先の摩耗の進行を低減した魚介類採取具の爪を提供する。【解決手段】魚介類採取具の爪は、基部１１から先端部１５に向けて第１方向に延び、基部１１が魚介類採取具に取り付けられるアーム１０と、基部２１から先端部２５に向けて第２方向に延び、先端部２５で海底の土壌を掘り起こす爪先２０と、爪先２０の先端部１５及び爪先２０の基部２１を互いに固定して連結する連結板３０と、爪先２０の先端部２５において他端２０ｂから基部２１に向けて所定距離にわたって側面を取り囲んで保護する工具鋼により形成された爪先カバー４０とを含み、アーム１０及び爪先２０は弾性金属線材によって構成され、爪先カバー４０は爪先２０の弾性金属線材に接着剤によって取り付けられている。【選択図】図２
2020162583.tif 000002
【特許請求の範囲】
【請求項１】
魚介類採取具の爪であって、
基部から先端部に向けて第１方向に延び、前記基部が魚介類採取具に取り付けられるアームと、
基部から先端部に向けて第２方向に延び、前記先端部で海底の土壌を掘り起こす爪先と、
前記爪先の先端部において端から基部に向けて所定距離にわたって側面を取り囲んで保護する工具鋼により形成された爪先カバーと
を含み、前記アーム及び前記爪先は弾性金属線材によって構成され、前記爪先カバーは前記爪先の弾性金属線材に接着剤によって取り付けられた魚介類採取具の爪。
【請求項２】
前記爪先を構成する弾性金属線材は円形の断面を有し、前記爪先カバーは所定厚さを有する略円筒形の形状を有する請求項１に記載の魚介類採取具の爪。
【請求項３】
前記爪先カバーを形成する工具鋼は、焼き入れされている請求項１又は２に記載の魚介類採取具の爪。
【請求項４】
前記アームの先端部及び前記爪先の基部を互いに固定して連結する連結部材をさらに含む請求項１から３のいずれか一項に記載の魚介類採取具の爪。
【請求項５】
前記アームの先端部の端から所定長さの部分は所定角度にわたり曲げられた第２曲げ部を形成し、前記爪先の基部の端から前記所定長さの部分は前記所定角度にわたり曲げられた第３曲げ部を形成する請求項４に記載の魚介類採取具の爪。
【請求項６】
前記第２曲げ部及び前記第３曲げ部は、互いに突き合わせられて、前記第１方向及び前記第２方向を含む平面内において前記アームの基部及び前記爪先の先端部から離れる方向に平行に延びる突合せ部を形成する請求項５に記載の魚介類採取具の爪。
【請求項７】
前記連結部材は、前記アームの先端部及び前記爪先の基部とともに、前記突合せ部を挟んで固定する一組の挟み板を含む請求項６に記載の魚介類採取具の爪。
【請求項８】
前記アームの先端部を含む所定部分は、前記爪先と同一の形状を有する請求項５から７のいずれか一項に記載の魚介類採取具の爪。
【請求項９】
前記アームの先端部を含む所定部分を切り離して前記爪先に転用することができる請求項８に記載の魚介類採取具の爪。
【請求項１０】
前記アーム及び前記爪先は一本の弾性金属線材によって構成され、前記弾性金属線材は前記アームの先端部と前記爪先の基部との間に当該弾性金属線材が延びる方向を前記第１方向から前記第２方向に転換させる屈曲部を含む請求項１から３のいずれか一項に記載の魚介類採取具の爪。
【請求項１１】
前記アームの基部には、魚介類採取具に取り付けるための第１曲げ部が形成された請求項１から１０のいずれかに記載の魚介類採取具の爪。
【請求項１２】
前記アームの基部には、前記第１曲げ部から前記第１方向に隣接して前記第１方向及び前記第２方向を含む平面内におけるこの魚介類採取具の角度の変動を緩衝する緩衝部が形成された請求項１１に記載の魚介類採取具の爪。
【請求項１３】
前記緩衝部は、前記アームを構成する弾性金属線材がコイル状に形成されてなる請求項１２に記載の魚介類採取具の爪。
【発明の詳細な説明】
【技術分野】
【０００１】
本発明は、ホタテ貝等を採取する魚介類採取具の爪に関するものである。
【背景技術】
【０００２】
海底下３ｃｍ程の所に生息しているホタテ貝等を漁獲する魚介類採取具として、八尺と呼ばれる大きな熊手状の道具が古くから使われている。図１は、このような八尺２００の一例を示す斜視図である。八尺２００の袋状の網２０１の網口２０３に渡された第１の横棒２０４には、親爪と称される固定爪２０７が櫛状に配置されている。また、網口２０３の正面に網口２０３とは所定の距離を確保して渡された第２の横棒２０５には、子爪と称される可動爪１００が着脱可能なように取り付けられ、櫛状に配置されている。
【０００３】
以下の本明細書では固定爪２０７と可動爪１００との内で専ら可動爪１００について検討するものとし、可動爪１００のことを魚介類採取具の爪１００と称することにする（魚介類採取具の爪１００については、特許文献１、２を参照）。図１に示した八尺２００は、引手２０９に取り付けられた図示しない引綱によって海底を引かれ、魚介類採取具の爪１００が海底の土壌を掻き起し、土壌に潜り込んでいるホタテ貝等を袋状の網２０１に採取することができる。
【先行技術文献】
【特許文献】
【０００４】
【特許文献１】特開２００４−９７１６１号公報
【特許文献２】特許第６５５９９１９号公報
【発明の概要】
【発明が解決しようとする課題】
【０００５】
ところで、図１に示したような従来の魚介類採取具の爪１００を用いて海底の土壌に潜り込んでいるホタテ貝を掻き起こすとき、魚介類採取具の爪１００の爪先１２０は、海底の土壌、岩礁、ホタテ貝などに接触し、摩擦により次第に摩耗が進む。爪先１２０の摩耗が進んだ魚介類採取具の爪１００は、爪先１２０を摩耗していない爪先１２０に交換するか、又は魚介類採取具の爪１００ごと取り換える必要があり、八尺２００を保守するための負担は大きかった。
【０００６】
この発明は、上述の実情に鑑みて提案されるものであって、耐摩耗性に優れた魚介類採取具の爪を提供することを目的とする。
【課題を解決するための手段】
【０００７】
上述の課題を解決するために、この出願に係る魚介類採取具の爪は、基部から先端部に向けて第１方向に延び、基部が魚介類採取具に取り付けられるアームと、基部から先端部に向けて第２方向に延び、先端部で海底の土壌を掘り起こす爪先と、爪先の先端部において端から基部に向けて所定距離にわたって側面を取り囲んで保護する工具鋼により形成された爪先カバーとを含み、アーム及び爪先は弾性金属線材によって構成され、爪先カバーは爪先の弾性金属線材に接着剤によって取り付けられたものである。
【０００８】
爪先を構成する弾性金属線材は円形の断面を有し、爪先カバーは所定厚さを有する略円筒形の形状を有してもよい。爪先カバーを形成する工具鋼は、焼き入れされていてもよい。
【０００９】
アームの先端部及び爪先の基部を互いに固定して連結する連結部材をさらに含んでもよい。アームの先端部の端から所定長さの部分は所定角度にわたり曲げられた第２曲げ部を形成し、爪先の基部の端から所定長さの部分は所定角度にわたり曲げられた第３曲げ部を形成してもよい。
【００１０】
第２曲げ部及び第３曲げ部は、互いに突き合わせられて、第１方向及び第２方向を含む平面内においてアームの基部及び爪先の先端部から離れる方向に平行に延びる突合せ部を形成してもよい。連結部材は、アームの先端部及び爪先の基部とともに、突合せ部を挟んで固定する一組の挟み板を含んでもよい。
【００１１】
アームの先端部を含む所定部分は、爪先と同一の形状を有してもよい。アームの先端部を含む所定部分を切り離して爪先に転用することができてもよい。
【００１２】
アーム及び爪先は一本の弾性金属線材によって構成され、弾性金属線材はアームの先端部と爪先の基部との間に当該弾性金属線材が延びる方向を第１方向から第２方向に転換させる屈曲部を含んでもよい。
【００１３】
アームの基部には、魚介類採取具に取り付けるための第１曲げ部が形成されてもよい。アームの基部には、第１曲げ部から第１方向に隣接して第１方向及び第２方向を含む平面内におけるこの魚介類採取具の角度の変動を緩衝する緩衝部が形成されてもよい。緩衝部は、アームを構成する弾性金属線材がコイル状に形成されてなってもよい。
【発明の効果】
【００１４】
この発明によると、耐摩耗性に優れた魚介類採取具の爪を提供することができる。したがって、魚介類採取具の爪を八尺に取り付けて使用するときに、海底の土壌、岩礁、ホタテ貝の貝殻などとの接触による摩耗の進行は遅く、魚介類の採取具の爪を長い期間にわたって使用することができる。
【図面の簡単な説明】
【００１５】
【図１】八尺の一例を示す斜視図である。
【図２】本実施の形態の魚介類採取具の爪を示す斜視図である。
【図３】本実施の形態の魚介類採取具の爪を示す分解斜視図である。
【図４】本実施の形態の魚介類採取具の爪で土壌を掻き起こす実験の結果を示す写真である。
【図５】比較例の魚介類採取具の爪で土壌を掻き起こす実験の結果を示す写真である。
【図６】第１変形例を示す斜視図である。
【図７】第１変形例を示す分解斜視図である。
【図８】第２変形例を示す斜視図である。
【図９】第２変形例を示す分解斜視図である。
【発明を実施するための形態】
【００１６】
以下、本実施の形態に係る魚介類採取具の爪について、図面を参照して詳細に説明する。図２は、本実施の形態の魚介類採取具の爪を示す斜視図である。図３は、本実施の形態の魚介類採取具の爪を示す分解斜視図である。
【００１７】
魚介類採取具の爪は、基部１１から先端部１５に向けて第１方向に延びるアーム１０と、基部２１から先端部２５に向けて第２方向に延びる爪先２０と、アーム１０の先端部１５と爪先２０の基部２１とを互いに固定して連結する連結板３０と、爪先２０の先端部２５に取り付けられた爪先カバー４０とを有している。第１方向と第２方向とは、互いに略９０°の角度を有している。アーム１０及び爪先２０は、所定径のばね鋼による弾性金属線材から構成されてもよい。連結板３０は、所定厚さの鋼板から構成されてもよい。爪先カバー４０は、耐摩耗性に優れた材料であり、工具鋼によって構成されてもよく、焼き入れされていてもよい。
【００１８】
アーム１０の基部１１は、魚介類採取具に取り付けるためにアーム１０の一端１０ａが所定の形状に曲げられた第１曲げ部１２を有している。第１曲げ部１２は、この魚介類採取具の爪を魚介類採取具の横棒にボルト及びナットで取り付けるために適した形状であってもよい。
【００１９】
アーム１０の基部１１には、一端１０ａに形成された第１曲げ部１２に隣接して緩衝部１３を有している。緩衝部１３は、第１方向及び第２方向に直交する方向を軸としてアーム１０を構成する弾性金属線材が巻かれたコイルばねによって構成されている。緩衝部１３は、第１方向及び第２方向を含む平面内において魚介類採取具に取り付けられた第１曲げ部１２に対するこの魚介類採取具の爪の角度の変動を緩衝することによって、海底の土壌を掘り起こしてホタテ貝を採取するときにホタテ貝に与える衝撃が和らげ、ホタテ貝の損傷を低減している。
【００２０】
アーム１０の先端部１５は、爪先２０の基部２１と突き合わせるためにアーム１０の先端部１５が他端１０ｂから所定距離にわたって曲げられた第２曲げ部１６を有している。第２曲げ部１６は、第１方向及び第２方向を含む平面内において第１方向から爪先２０から離れる方向に曲げられ、第１方向と略４５°の角度をなしている。
【００２１】
爪先２０の基部２１は、アーム１０の先端部１５と突き合わせるために爪先２０の基部２１が一端２０ａから所定距離にわたって曲げられた第３曲げ部２２を有している。第３曲げ部２２は、第１方向及び第２方向を含む平面内において第２方向からアーム１０から離れる方向に曲げられ、第２方向と略４５°の角度をなしている。
【００２２】
爪先２０において、先端部２５は爪先２０の他端２０ｂまで第２方向に延びている。爪先２０の先端部２５は、海底の土壌を掘り起こし、海底の土壌に潜っているホタテ貝を掻き起すために使用される。
【００２３】
連結板３０は、互いに対向する第１部材３０ａ及び第２部材３０ｂを有し、これら第１部材３０ａ及び第２部材３０ｂでアーム１０の先端部１５と爪先２０の基部２１とを挟んで連結する。第１部材３０ａ及び第２部材３０ｂの対向面には、第２曲げ部１６に続くアーム１０の先端部１５を受け入れるための第１溝３１と、第１溝３１とは略９０°の角度を有して延びる、第３曲げ部２２に続く爪先２０の基部２１を受け入れるための第２溝３２が形成されている。また、第１部材３０ａ及び第２部材３０ｂの対向面には、アーム１０の基部１１及び爪先２０の先端部２５から離れる方向に平行に伸びて突合せ部を形成するアーム１０の先端部１５の第２曲げ部１６及び爪先２０の基部２１の第３曲げ部２２を受け入れるための第３溝３３が形成されている。
【００２４】
連結板３０の第１部材３０ａ及び第２部材３０ｂは、第１溝３１に第２曲げ部１６に続くアーム１０の先端部１５を受け入れ、第２溝３２に第３曲げ部２２に続く爪先２０の基部２１を受け入れ、第３溝３３に平行に伸びて突合せ部を形成するアーム１０の先端部１５の第２曲げ部１６及び爪先２０の基部２１の第３曲げ部２２を受け入れ、３組のボルト３８及びナット３９を締結して挟んで固定する。これによって、アーム１０の先端部１５及び爪先２０の基部２１は、互いに略９０°の角度で固定されて連結される。
【００２５】
爪先カバー４０は、所定径を有する爪先２０の先端部２５に嵌るような所定の内径を有し、所定高さと所定厚さを有する略円筒形状を有している。爪先カバー４０は、所定径の略円形の断面を有する金属弾性線材により構成された爪先２０の他端２０ｂから先端部２５の側面を所定距離にわたって覆うように爪先２０に嵌められ、爪先２０に対して接着剤で固定される。
【００２６】
本実施の形態の魚介類の採取具の爪においては、爪先２０の先端部２５に爪先２０の他端から所定距離にわたって爪先２０を覆うように爪先カバー４０が取り付けられている。爪先カバー４０は、爪先２０の弾性金属線材を構成するばね鋼のような材料よりも硬い工具鋼のような材料で形成されている。爪先２０が八尺に取り付けられた魚介類採取具の爪に使われて海底の土壌を掻き起こすときに、土壌、岩礁、ホタテ貝などには硬い爪先カバー４０が接し、爪先２０の先端部２５は爪先カバー４０によって接触から保護されている。硬い爪先カバー４０の摩耗の進行は遅く、爪先カバー４０によって保護された爪先２０の先端部の摩耗の進行も遅くなる。
【００２７】
本実施の形態の魚介類の採取具の爪においては、ばね鋼のような材料によって構成された爪先２０の先端部２５には硬い工具鋼のような材料で形成された爪先カバー４０が嵌め込まれている。爪先２０の先端部２５において爪先カバー４０が嵌められた部分は、このような異なる二つの種類の素材によって構成され、二つの素材の異なる特性が寄与することで全体として強度が向上している。
【００２８】
本実施の形態の魚介類の採取具の爪においては、爪先カバー４０は爪先２０の先端部２５に嵌め込まれて接着剤によって固定することによって取り付けられている。したがって、爪先２０の先端部２５に爪先カバー４０を取り付ける加工は容易であり、製造するための作業の負担を軽減することができる。
【００２９】
本実施の形態の魚介類の採取具の爪においては、爪先２０の先端部２５に爪先カバー４０が取り付けられ、爪先２０の先端部２５及び先端部２５に取り付けられた爪先カバー４０の摩耗の進行は遅くなっている。したがって、爪先２０の先端部２５の摩耗によって爪先２０又は爪先２０を含む魚介類の採取具を交換する頻度は低減し、八尺に魚介類採取具の爪を取り付けて使用するときの魚介類採取具を保守する負担を軽減することができる。
【００３０】
本実施の形態の魚介類採取具の爪においては、アーム１０と爪先２０とは連結板３０によって連結されているため、アーム１０又は爪先２０を個別に交換することが可能である。したがって、爪先２０の先端部２５が摩耗したときには、アーム１０をそのまま継続して使用し、爪先２０のみを摩耗していない爪先２０に取り換えることができる。なお、アーム１０の基部１１の緩衝部１３の緩衝作用が劣化したときには、爪先２０をそのまま継続して使用し、アーム１０のみを緩衝作用が機能する緩衝部１３を有するアーム１０に交換することができる。
【００３１】
本実施の形態の魚介類の採取具の爪においては、アーム１０の先端部１５を含む所定長さの部分は、爪先２０と同一の形状を有している。したがって、アーム１０の先端部１５を含む所定長の部分を残してアーム１０の基部１１を含む部分を切り離すことにより、爪先２０を形成することができる。爪先２０の先端部２５の摩耗が進んだり、爪先２０が折れるなど破損したり、アーム１０の基部１１の緩衝部１３の緩衝作用が使用により劣化したりしたときには、緩衝部１３が含まれる基部１１を切り離すことにより、残りの先端部１５を含む所定の長さの部分を爪先２０に転用することができる。
【００３２】
また、本実施の形態の魚介類採取具の爪においては、第１部材３０ａ及び第２部材３０ｂの対向面に形成された第３溝３３によって、アーム１０の基部１１及び爪先２０の先端部２５から離れる方向にアーム１０の先端部１５の第２曲げ部１６及び爪先２０の基部２１の第３曲げ部２２が平行に伸びて形成する突合せ部が、第３溝３３によって挟まれて固定されている。したがって、爪先２０の海底を掘り起こすときに先端部２５に発生する抵抗力は、この突合せ部を介してアーム１０に伝えられ、緩衝部１３による緩衝作用が発揮されるとともに、連結板３０に与える負担が低減される。
【００３３】
図４は、本実施の形態の魚介類採取具の爪で土壌を掻き起こした実験をした結果を示す写真である。図４（ａ）は実験前の魚介類採取具の爪を示す写真であり、図４（ｂ）は実験後の魚介類採取具の爪を示す写真である。実験は、トラックの後部に魚介類採取具の爪を取り付け、トラックを所定速度で所定距離にわたって走行させ、魚介類の採取具の爪で陸上の舗装されていない地面の土壌を掻き起こすことによって実施した。
【００３４】
実験後の図４（ｂ）の魚介類採取具の爪は、実験前の図４（ａ）の魚介類採取具の爪と比較すると、爪先２０の先端部２５及び爪先カバー４０が、爪先２０の他端２０ｂから所定長さにわたって摩耗により失われていることが見られる。しかしながら、摩耗により失われた長さは、爪先２０が延びる方向について、爪先カバー４０が爪先２０の先端部２５を覆っていた範囲の略半分以下にとどまっている。したがって、土壌との摩擦によって摩耗した量は少ないということができる。
【００３５】
図５は、比較例の魚介類採取具の爪で土壌を掻き起こした実験をした結果を示す写真である。図５（ａ）は実験前の魚介類採取具の爪を示す写真であり、図５（ｂ）は実験後の魚介類採取具の爪を示す写真である。比較例は、爪先カバー４０が取り付けられていな点を除いて本実施の形態の魚介類の採取具の爪と同様の構成を有している。また実験は、本実施の形態の魚介類の採取具の場合と同一の条件で実施した。
【００３６】
実験後の図５（ｂ）の魚介類採取具の爪は、実験前の図５（ｂ）の魚介類採取具の爪と比較すると、爪先２０の先端部２５が爪先２０の他端２０ｂから所定長さにわたって摩耗により失われていることが見られる。摩耗により失われた長さは、爪先２０が延びる方向について、図４（ａ）に示した本実施の形態の魚介類採取具の爪の爪先カバー４０が爪先２０の先端部２５を覆っている範囲よりも大きい。したがって、土壌との摩擦によって摩耗した量は多いということができる。
【００３７】
図６は、第１変形例の魚介類採取具の爪を示す斜視図である。図７は、第１変形例の魚介類採取具の爪を示す分解斜視図である。第１変形例の魚介類採取具の爪は、アーム１０が延びる第１方向と爪先２０が延びる第２方向とが略１２０°の角度を有する点において、第１方向と第２方向とが略９０°の角度を有していた本実施の形態の魚介類採取具の爪と相違している。他の第１変形例の魚介類採取具の爪の構成は本実施の形態の魚介類採取具の爪と同様であるため、対応する構成要素には本実施の形態の魚介類の採取具の爪と同様の符号を用いて対応関係を示すことにする。
【００３８】
魚介類採取具の爪は、基部１１から先端部１５に向けて第１方向に延びるアーム１０と、基部２１から先端部２５に向けて第２方向に延びる爪先２０と、アーム１０の先端部１５と爪先２０の基部２１とを互いに固定して連結する連結板３０と、爪先の先端部２５に取り付けられた爪先カバー４０とを有している。第１方向と第２方向とは、互いに略１２０°の角度を有している。アーム１０及び爪先２０は、所定径のばね鋼による弾性金属線材から構成されてもよい。連結板３０は、所定厚さの鋼板から構成されてもよい。爪先カバー４０は、耐摩耗性に優れた材料であり、工具鋼によって構成されてもよく、焼き入れされていてもよい。
【００３９】
アーム１０の基部１１は、魚介類採取具に取り付けるためにアーム１０の一端１０ａが所定の形状に曲げられた第１曲げ部１２を有している。第１曲げ部１２は、この魚介類採取具の爪を魚介類採取具の横棒にボルト及びナットで取り付けるために適した形状であってもよい。
【００４０】
アーム１０の基部１１には、一端１０ａに形成された第１曲げ部１２に隣接して緩衝部１３を有している。緩衝部１３は、第１方向及び第２方向に直交する方向を軸としてアーム１０を構成する弾性金属線材が巻かれたコイルばねによって構成されている。緩衝部１３は、第１方向及び第２方向を含む平面内において魚介類採取具に取り付けられた第１曲げ部１２に対するこの魚介類採取具の爪の角度の変動を緩衝することによって、海底の土壌を掘り起こしてホタテ貝を採取するときにホタテ貝に与える衝撃が和らげ、ホタテ貝の損傷を低減している。
【００４１】
アーム１０の先端部１５は、爪先２０の基部２１と突き合わせるためにアーム１０の先端部１５が他端１０ｂから所定距離にわたって曲げられた第２曲げ部１６を有している。第２曲げ部１６は、第１方向及び第２方向を含む平面内において第１方向から爪先２０から離れる方向に曲げられ、第１方向と略３０°の角度をなしている。
【００４２】
爪先２０の基部２１は、アーム１０の先端部１５と突き合わせるために爪先２０の基部２１が一端２０ａから所定距離にわたって曲げられた第３曲げ部２２を有している。第３曲げ部２２は、第１方向及び第２方向を含む平面内において第２方向からアーム１０から離れる方向に曲げられ、第２方向と略３０°の角度をなしている。
【００４３】
爪先２０において、先端部２５は爪先２０の他端２０ｂまで第２方向に延びている。爪先２０の先端部２５は、海底の土壌を掘り起こし、海底の土壌に潜っているホタテ貝を掻き起すために使用される。
【００４４】
連結板３０は、互いに対向する第１部材３０ａ及び第２部材３０ｂを有し、これら第１部材３０ａ及び第２部材３０ｂでアーム１０の先端部１５と爪先２０の基部２１とを挟んで連結する。第１部材３０ａ及び第２部材３０ｂの対向面には、第２曲げ部１６に続くアーム１０の先端部１５を受け入れるための第１溝３１と、第１溝３１とは略９０°の角度を有して延びる、第３曲げ部２２に続く爪先２０の基部２１を受け入れるための第２溝３２が形成されている。また、第１部材３０ａ及び第２部材３０ｂの対向面には、アーム１０の基部１１及び爪先２０の先端部２５から離れる方向に平行に伸びて突合せ部を形成するアーム１０の先端部１５の第２曲げ部１６及び爪先２０の基部２１の第３曲げ部２２を受け入れるための第３溝３３が形成されている。
【００４５】
連結板３０の第１部材３０ａ及び第２部材３０ｂは、第１溝３１に第２曲げ部１６に続くアーム１０の先端部１５を受け入れ、第２溝３２に第３曲げ部２２に続く爪先２０の基部２１を受け入れ、第３溝３３に平行に伸びて突合せ部を形成するアーム１０の先端部１５の第２曲げ部１６及び爪先２０の基部２１の第３曲げ部２２を受け入れ、３組のボルト３８及びナット３９を締結して挟んで固定する。これによって、アーム１０の先端部１５及び爪先２０の基部２１は、互いに略１２０°の角度で固定されて連結される。
【００４６】
爪先カバー４０は、所定径を有する爪先２０の先端部２５に嵌るような所定の内径を有し、所定高さと所定厚さを有する略円筒形状を有している。爪先カバー４０は、所定径の略円形の断面を有する金属弾性線材により構成された爪先２０の他端２０ｂから先端部２５の側面を所定距離にわたって覆うように爪先２０に嵌められ、爪先２０に対して接着剤で固定される。
【００４７】
第１変形例の魚介類の採取具の爪においても、爪先２０の先端部２５に爪先２０の他端から所定距離にわたって爪先２０を覆うように爪先カバー４０が取り付けられている。爪先カバー４０は、爪先２０の弾性金属線材を構成するばね鋼のような材料よりも硬い工具鋼のような材料で形成されている。爪先２０が八尺に取り付けられた魚介類採取具の爪に使われて海底の土壌を掻き起こすときに、土壌、岩礁、ホタテ貝などには硬い爪先カバー４０が接し、爪先２０の先端部２５は爪先カバー４０によって接触から保護されている。硬い爪先カバー４０の摩耗の進行は遅く、爪先カバー４０によって保護された爪先２０の先端部の摩耗の進行も遅くなる。第１変形例の魚介類採取具の爪の他の効果についても、本実施の形態の魚介類採取具の爪と同様である。
【００４８】
図８は、第２変形例の魚介類採取具の爪を示す斜視図である。図９は、第２変形例の魚介類採取具の爪を示す分解斜視図である。第２変形例の魚介類採取具の爪は、アーム１０と爪先２０とが連結板３０を介することなく一本の弾性金属線材によって一体に形成されていること、アーム１０が延びる第１方向と爪先２０が延びる第２方向とが略１２０°の角度を有する点において、アーム１０と爪先２０とが連結板３０で連結され、第１方向と第２方向とが略９０°の角度を有していた本実施の形態の魚介類採取具の爪と相違している。他の第２変形例の魚介類採取具の爪の構成は本実施の形態の魚介類採取具の爪と同様であるため、対応する構成要素には本実施の形態の魚介類の採取具の爪と同様の符号を用いて対応関係を示すことにする。
【００４９】
魚介類採取具の爪は、基部１１から先端部１５に向けて第１方向に延びるアーム１０と、基部２１から先端部２５に向けて第２方向に延びる爪先２０と、アーム１０の先端部１５から爪先２０の基部２１を結んでアーム１０が延びる第１方向から爪先２０が延びる第２方向に方向を転換する屈曲部５０と、爪先の先端部２５に取り付けられた爪先カバー４０とを有している。アーム１０、爪先２０及び屈曲部５０は、一本の弾性金属線材によって一体に構成されている。第１方向と第２方向とは、互いに略１２０°の角度を有している。弾性金属線材は、所定径のばね鋼から構成されてもよい。爪先カバー４０は、耐摩耗性に優れた材料であり、工具鋼によって構成されてもよく、焼き入れされていてもよい。
【００５０】
アーム１０の基部１１は、魚介類採取具に取り付けるためにアーム１０の一端１０ａが所定の形状に曲げられた第１曲げ部１２を有している。第１曲げ部１２は、この魚介類採取具の爪を魚介類採取具の横棒にボルト及びナットで取り付けるために適した形状であってもよい。
【００５１】
アーム１０の基部１１には、一端１０ａに形成された第１曲げ部１２に隣接して緩衝部１３を有している。緩衝部１３は、第１方向及び第２方向に直交する方向を軸としてアーム１０を構成する弾性金属線材が巻かれたコイルばねによって構成されている。緩衝部１３は、第１方向及び第２方向を含む平面内において魚介類採取具に取り付けられた第１曲げ部１２に対するこの魚介類採取具の爪の角度の変動を緩衝することによって、海底の土壌を掘り起こしてホタテ貝を採取するときにホタテ貝に与える衝撃が和らげ、ホタテ貝の損傷を低減している。
【００５２】
爪先２０において、先端部２５は爪先２０の他端２０ｂまで第２方向に延びている。爪先２０の先端部２５は、海底の土壌を掘り起こし、海底の土壌に潜っているホタテ貝を掻き起すために使用される。
【００５３】
屈曲部５０は、第１方向に延びるアーム１０の先端部１５と第２方向に延びる爪先２０の基部２１との間にあって、弾性金属線材を屈曲させて弾性金属線材が延びる方向が第１方向から第２方向に転換するように、アーム１０と爪先２０とを接続している。屈曲部５０では、弾性金属線材が屈曲して第１方向から第２方向へ略１２０°の角度で方向を転換している。
【００５４】
爪先カバー４０は、所定径を有する爪先２０の先端部２５に嵌るような所定の内径を有し、所定高さと所定厚さを有する略円筒形状を有している。爪先カバー４０は、所定径の略円形の断面を有する金属弾性線材により形成された爪先２０の他端２０ｂから先端部２５の側面を所定距離にわたって覆うように爪先２０に嵌められ、爪先２０に対して接着剤で固定されている。
【００５５】
第２変形例の魚介類の採取具の爪においても、爪先２０の先端部２５に爪先２０の他端から所定距離にわたって爪先２０を覆うように爪先カバー４０が取り付けられている。爪先カバー４０は、爪先２０の弾性金属線材を構成するばね鋼のような材料よりも硬い工具鋼のような材料で形成されている。爪先２０が八尺に取り付けられた魚介類採取具の爪に使われて海底の土壌を掻き起こすときに、土壌、岩礁、ホタテ貝などには硬い爪先カバー４０が接し、爪先２０の先端部２５は爪先カバー４０によって接触から保護されている。硬い爪先カバー４０の摩耗の進行は遅く、爪先カバー４０によって保護された爪先２０の先端部の摩耗の進行も遅くなる。
【００５６】
第２変形例の魚介類採取具の爪は、アーム１０及び爪先２０が一本の弾性金属線材によって構成されている。アーム１０と爪先２０とを連結するための連結板３０が必要ないため、構成部材が少ないために製造が容易であり、低価格で提供することができる。また、連結板３０を調整する必要がないため、保守も容易である。
【符号の説明】
【００５７】
１０  アーム
１１  基部
１２  第１曲げ部
１３  緩衝部
１５  先端部
１６  第２曲げ部
２０  爪先
２１  基部
２２  第３曲げ部
２５  先端部
３０  連結板
４０  爪先カバー
５０  屈曲部
【図１】
2020162583.tif 000003
【図２】
2020162583.tif 000004
【図３】
2020162583.tif 000005
【図４】
2020162583.tif 000006
【図５】
2020162583.tif 000007
【図６】
2020162583.tif 000008
【図７】
2020162583.tif 000009
【図８】
2020162583.tif 000010
【図９】
2020162583.tif 000011